(57)【要約】【課題】携帯端末により、容易な操作で、かつ細かな編集を行なってＷｅｂページを作成（更新）可能とする。【解決手段】携帯電話１０では、メールの件名の一部にＷｅｂページの編集箇所を指定するためのコマンドおよびメール本文にＷｅｂページに掲載される内容を記述し、Ｗｅｂページに掲載される画像データを添付したメールを作成する。該メールは、ネットワーク上のＨＰサービスサーバ１１へ送信する。ＨＰサービスサーバ１１では、携帯電話１０からのメールを受信し、メールに添付されている画像データとメール本文とが掲載されたＷｅｂページを作成する。また、メールの件名に記述されているコマンドに基づいて、上記Ｗｅｂページの編集を行なう。【選択図】  図１
2004295525.tif 000002
【特許請求の範囲】
【請求項１】
携帯端末から送信されたメールをネットワーク上のサーバで受信し、受信したメールに基づいてＷｅｂページを作成するＷｅｂページ作成システムであって、
前記携帯端末は、
メールの件名の一部にＷｅｂページの編集箇所を指定するためのコマンドおよびメール本文にＷｅｂページに掲載される内容が記述され、Ｗｅｂページに掲載される画像データを添付したメールを作成するメール作成手段と、
前記メール作成手段により作成されたメールを前記サーバへ送信する送信手段とを具備し、
前記サーバは、
前記携帯端末からのメールを受信する受信手段と、
前記受信手段により受信されたメールに添付されている画像データとメール本文とが掲載されたＷｅｂページを作成するＷｅｂページ作成手段と、
前記受信手段により受信されたメールの件名に記述されているコマンドに基づいて、前記Ｗｅｂページ作成手段により作成されるＷｅｂページの編集を行なう編集手段とを具備することを特徴とするＷｅｂページ作成システム。
【請求項２】
前記メール作成手段は、メールの件名の一部にユーザ認証のための利用者ＩＤおよびパスワードを記述し、
前記サーバは、前記受信手段により受信されたメールの件名に記述されている利用者ＩＤおよびパスワードを用いてユーザ認証を行なう認証手段を具備することを特徴とする請求項１記載のＷｅｂページ作成システム。
【請求項３】
前記メールの件名として記述されたコマンド、または、利用者ＩＤおよびパスワードは、暗号化されていることを特徴とする請求項１または２記載のＷｅｂページ作成システム。
【請求項４】
前記メール作成手段は、メール本文に記述可能な特定の文字を、Ｗｅｂページの作成に伴う付加機能を指示するための制御符号として記述し、
前記Ｗｅｂページ作成手段は、メール本文に記述されている制御符号に基づいて、付加機能が付加されたＷｅｂページを作成することを特徴とする請求項１ないし３のいずれかに記載のＷｅｂページ作成システム。
【請求項５】
前記メール作成手段は、Ｗｅｂページ作成用のメールを作成する際、メール本文に自動的に付加される署名付加機能を無効とすることを特徴とする請求項１ないし４のいずれかに記載のＷｅｂページ作成システム。
【請求項６】
前記携帯端末は、
前記送信手段によりメールが送信された後、当該メールを削除する削除手段を具備することを特徴とする請求項１ないし５のいずれかに記載のＷｅｂページ作成システム。
【請求項７】
携帯端末から送信されたメールをネットワーク上のサーバで受信し、受信したメールに基づいてＷｅｂページを作成するＷｅｂページ作成方法であって、
前記携帯端末により、メールの件名の一部にＷｅｂページの編集箇所を指定するためのコマンドが記述され、メール本文にＷｅｂページに掲載される内容が記述され、Ｗｅｂページに掲載される画像データを添付したメールを作成し、作成されたメールを前記サーバへ送信し、
前記サーバにより、前記携帯端末からのメールを受信すると、メールに添付されている画像データとメール本文とが掲載されたＷｅｂページを作成し、メールの件名に記述されているコマンドに基づいて、前記Ｗｅｂページの編集を行なうことを特徴とするＷｅｂページ作成方法。
【請求項８】
前記メールの件名の一部にユーザ認証のための利用者ＩＤおよびパスワードが記述可能であり、
前記サーバにより、前記メールの件名に記述されている利用者ＩＤおよびパスワードを用いてユーザ認証を行なうことを特徴とする請求項７記載のＷｅｂページ作成方法。
【請求項９】
前記コマンド、または、利用者ＩＤおよびパスワードを暗号化することを特徴とする請求項７または８記載のＷｅｂページ作成方法。
【請求項１０】
前記メール本文に記述可能な特定の文字を、Ｗｅｂページの作成に伴う付加機能を指示するための制御符号として記述可能とし、前記サーバにより、前記制御符号に基づいて、付加機能が付加されたＷｅｂページを作成することを特徴とする請求項７ないし９のいずれかに記載のＷｅｂページ作成方法。
【請求項１１】
前記メールを作成する際、メール本文に自動的に付加される署名付加機能を無効とすることを特徴とする請求項７ないし１０のいずれかに記載のＷｅｂページ作成方法。
【請求項１２】
前記メールが送信された後、当該メールを削除することを特徴とする請求項７ないし１１のいずれかに記載のＷｅｂページ作成方法。
【発明の詳細な説明】
【０００１】
【発明の属する技術分野】
本発明は、携帯端末から送信されたメールをネットワーク上のサーバで受信し、受信したメールに基づいてＷｅｂページを作成するＷｅｂページ作成システムおよびＷｅｂページ作成方法に関する。
【０００２】
【従来の技術】
従来より、携帯端末（携帯電話等）では、カラー画像表示に加え、Ｅメール送受信機能、インターネット上のＷｅｂページを閲覧するブラウザ機能を搭載している。従来の携帯端末では、カラー画像表示やブラウザ機能を用いて、インターネット上のサーバが公開しているＷｅｂページを閲覧するだけであるが、近年では、Ｗｅｂページを作成・編集する機能を備え、携帯端末から簡単にホームページサーバ（Ｗｅｂサーバ）に送信する技術も考えられている（例えば、特許文献１参照）。
【０００３】
【特許文献１】
特開２００１−３４４２０２（第６−７頁、第８図）
【０００４】
【発明が解決しようとする課題】
しかしながら、上述したような携帯電話におけるＷｅｂページの作成・編集方法の場合、常時、まず、ホームページサーバ（Ｗｅｂサーバ）にアクセスして認証を得なければ、作成・編集したＷｅｂページを送信することができず、ユーザにとって簡単であるとはいえなかった。
【０００５】
また近年、携帯電話で撮影した画像データをＥメールに添付し、所定のサーバへ送信することで、画像データとメール本文とをＷｅｂページ上に反映させる技術が報告されている。しかしながら、この技術では、既存の携帯電話に搭載されているメール機能を用いているため、Ｗｅｂページの一部を更新したり、本文の書式を指定・編集したりするなど、Ｗｅｂページの作成に伴う細かな編集を行なうことができないという問題がある。
【０００６】
そこで本発明は、携帯端末により、容易な操作で、かつ細かな編集を行なってＷｅｂページを作成（更新）することができるＷｅｂページ作成システムおよびＷｅｂページ作成方法を提供することを目的とする。
【０００７】
【課題を解決するための手段】
上記目的達成のため、請求項１記載の発明によるＷｅｂページ作成システムは、携帯端末から送信されたメールをネットワーク上のサーバで受信し、受信したメールに基づいてＷｅｂページを作成するＷｅｂページ作成システムであって、前記携帯端末は、メールの件名の一部にＷｅｂページの編集箇所を指定するためのコマンドおよびメール本文にＷｅｂページに掲載される内容が記述され、Ｗｅｂページに掲載される画像データを添付したメールを作成するメール作成手段と、前記メール作成手段により作成されたメールを前記サーバへ送信する送信手段とを具備し、前記サーバは、前記携帯端末からのメールを受信する受信手段と、前記受信手段により受信されたメールに添付されている画像データとメール本文とが掲載されたＷｅｂページを作成するＷｅｂページ作成手段と、前記受信手段により受信されたメールの件名に記述されているコマンドに基づいて、前記Ｗｅｂページ作成手段により作成されるＷｅｂページの編集を行なう編集手段とを具備することを特徴とする。
【０００８】
また、好ましい態様として、例えば請求項２記載のように、請求項１記載のＷｅｂページ作成システムにおいて、前記メール作成手段は、メールの件名の一部にユーザ認証のための利用者ＩＤおよびパスワードを記述し、前記サーバは、前記受信手段により受信されたメールの件名に記述されている利用者ＩＤおよびパスワードを用いてユーザ認証を行なう認証手段を具備するようにしてもよい。
【０００９】
また、好ましい態様として、例えば請求項３記載のように、請求項１または２記載のＷｅｂページ作成システムにおいて、前記メールの件名として記述されたコマンド、または、利用者ＩＤおよびパスワードは、暗号化されていてもよい。
【００１０】
また、好ましい態様として、例えば請求項４記載のように、請求項１ないし３のいずれかに記載のＷｅｂページ作成システムにおいて、前記メール作成手段は、メール本文に記述可能な特定の文字を、Ｗｅｂページの作成に伴う付加機能を指示するための制御符号として記述し、前記Ｗｅｂページ作成手段は、メール本文に記述されている制御符号に基づいて、付加機能が付加されたＷｅｂページを作成するようにしてもよい。
【００１１】
また、好ましい態様として、例えば請求項５記載のように、請求項１ないし４のいずれかに記載のＷｅｂページ作成システムにおいて、前記メール作成手段は、Ｗｅｂページ作成用のメールを作成する際、メール本文に自動的に付加される署名付加機能を無効とするようにしてもよい。
【００１２】
また、好ましい態様として、例えば請求項６記載のように、請求項１ないし５のいずれかに記載のＷｅｂページ作成システムにおいて、前記携帯端末は、前記送信手段によりメールが送信された後、当該メールを削除する削除手段を具備するようにしてもよい。
【００１３】
また、上記目的達成のため、請求項７記載の発明によるＷｅｂページ作成方法は、携帯端末から送信されたメールをネットワーク上のサーバで受信し、受信したメールに基づいてＷｅｂページを作成するＷｅｂページ作成方法であって、前記携帯端末により、メールの件名の一部にＷｅｂページの編集箇所を指定するためのコマンドが記述され、メール本文にＷｅｂページに掲載される内容が記述され、Ｗｅｂページに掲載される画像データを添付したメールを作成し、作成されたメールを前記サーバへ送信し、前記サーバにより、前記携帯端末からのメールを受信すると、メールに添付されている画像データとメール本文とが掲載されたＷｅｂページを作成し、メールの件名に記述されているコマンドに基づいて、前記Ｗｅｂページの編集を行なうことを特徴とする。
【００１４】
また、好ましい態様として、例えば請求項８記載のように、請求項７記載のＷｅｂページ作成方法において、前記メールの件名の一部にユーザ認証のための利用者ＩＤおよびパスワードが記述可能であり、前記サーバにより、前記メールの件名に記述されている利用者ＩＤおよびパスワードを用いてユーザ認証を行なうようにしてもよい。
【００１５】
また、好ましい態様として、例えば請求項９記載のように、請求項７または８記載のＷｅｂページ作成方法において、前記コマンド、または、利用者ＩＤおよびパスワードを暗号化するようにしてもよい。
【００１６】
また、好ましい態様として、例えば請求項１０記載のように、請求項７ないし９のいずれかに記載のＷｅｂページ作成方法において、前記メール本文に記述可能な特定の文字を、Ｗｅｂページの作成に伴う付加機能を指示するための制御符号として記述可能とし、前記サーバにより、前記制御符号に基づいて、付加機能が付加されたＷｅｂページを作成するようにしてもよい。
【００１７】
また、好ましい態様として、例えば請求項１１記載のように、請求項７ないし１０のいずれかに記載のＷｅｂページ作成方法において、前記メールを作成する際、メール本文に自動的に付加される署名付加機能を無効とするようにしてもよい。
【００１８】
また、好ましい態様として、例えば請求項１２記載のように、請求項７ないし１１のいずれかに記載のＷｅｂページ作成方法において、前記メールが送信された後、当該メールを削除するようにしてもよい。
【００１９】
【発明の実施の形態】
以下、本発明の実施の形態を、携帯電話に適用した一実施例として、図面を参照して説明する。
【００２０】
Ａ．実施形態の構成
（１）システムの構成
図１は、本発明の実施形態によるシステムの構成を示すブロック図である。図において、携帯電話１０は、撮影部によって撮影する機能を有し、所定のＷｅｂページに掲載すべく、撮影した画像データが添付され、Ｗｅｂページへの登録用に所定のフォーマットで記述された更新手続きＥメールを作成し、ネットワーク上のＨＰサービスサーバ１１に送信する。ＨＰサービスサーバ１１は、上記更新手続きＥメールを受信すると、そのフォーマットからＷｅｂページへの登録用であることを認識し、更新確認Ｅメールを携帯電話１０へ送信する。携帯電話１０は、上記ＨＰサービスサーバ１１からの更新確認Ｅメールに従ってＨＰサービスサーバ１１に接続し、更新を指示する。ＨＰサービスサーバ１１は、携帯電話１０により更新が指示されると、更新手続きＥメールに添付された画像およびメール本文内容が掲載されたＷｅｂページを更新（新規作成も含む）するようになっている。
【００２１】
（２）携帯電話の構成
図２は、本発明の実施形態による携帯電話１０の構成を示すブロック図である。図において、２０は送受信部であり、周波数変換部とモデムとから構成されている。アンテナＡＮＴ１を介して、図示しない基地局と無線通信をするために、電波の周波数変換および変復調を行なうものである。次に、通信制御部２１は、所定の通信方式（例えば、ＴＤＭＡ（時分割多元接続）、ＣＤＭＡ（符号分割多重接続）等）に基づいた通信制御を行なうものである。次に、音声処理部２２は、音声信号の符号化／復号化を行なうものであり、通信制御部２１からのＣＥＬＰ音声信号をＤ／Ａ変換によりアナログ音声信号へ変換し、スピーカ２３から発音させる一方、マイク２４から入力されたアナログ音声信号をＡ／Ｄ変換によりＣＥＬＰ信号に変換し、通信制御部２１へ送出する。
【００２２】
次に、制御部２５は、所定のプログラムに従って装置全体を制御する。キー入力部２６は、相手先の電話番号や文字列を入力する数値キーや、オンフック／オフフックを行なうスイッチ、音声出力を変えるボリュームスイッチ、各種機能キー等から構成される。ＲＯＭ２７には上記制御部２５で実行されるプログラムや、種々のパラメータ等が格納されている。また、ＲＡＭ２８は、住所録、スケジュールを格納する領域や、上記制御部２５の制御に伴って生成されるデータを格納する格納領域、ワーキングエリア等の領域などを備えている。
【００２３】
次に、表示部２９は、液晶表示器からなり、上記制御部２５の制御の下、動作モードや、電話番号、通話時間等の各種データ、文字データ、画像データ、Ｗｅｂページなどを表示する。撮像モジュール６１は、ＣＣＤ、若しくはＣＭＯＳで構成され、撮像レンズを介して被写体のカラー画像を取り込む。ＤＳＰ６２は、撮像モジュール６１に取り込まれた画像を符号化処理する。画像メモリ６３は、ＤＳＰ６２により符号化処理され、制御部２５により圧縮符号化された画像をデータ化（ファイル化）して格納する。
【００２４】
Ｅメール処理部７０は、Ｗｅｂページに登録するためのＥメールを作成する。なお、該Ｅメールの構成については後述する。該Ｗｅｂページに登録するためのＥメールは、送受信部２０、通信制御部２１によって、インターネット上のＨＰサービスサーバ１１に送信される。ブラウザ７１は、ネットワーク上のサーバによって提供されるＷｅｂページを閲覧する。特に、該ブラウザ７１は、上記ＨＰサービスサーバ１１からの更新確認Ｅメールに従ってＨＰサービスサーバ１１に接続する。ユーザは、ブラウザ表示上で更新ボタンを押下することで更新を確定（ホームページの作成／編集の確定）する。
【００２５】
（３）携帯電話の外観
次に、図３（ａ）、（ｂ）は、あり、上述した図１の構成と同じ機能を有する部分については同一の符号を付し、説明を省略する。携帯電話１０は、蓋部と本体部からなる二つ折り構造であって、図３（ａ）は、開状態、正面図を示すものである。同図において、アンテナＡＮＴ１は、蓋部の背面に設けられ、伸縮自在となっている。アンテナＡＴＮ１は、蓋部の背面に設けられており、伸縮自在となっている。スピーカ２３は、蓋部の前面側に設けられており、音声出力を行なう。表示部（メイン表示部）２９は、カラー液晶であり、１２０ドット（幅）×１６０ドット（高さ）である。また、キー入力部２６は、本体部の前面に設けられており、マイク２４は、本体部の下部に設けられている。一方、図３（ｂ）は、開状態、背面図を示すものであり、撮像レンズ６０は、蓋部の背面に設けられている。
【００２６】
（４）Ｅメールのフォーマット
次に、図４は、Ｗｅｂページに登録するためのＥメールのフォーマット例を示す模式図である。Ｅメールのヘッダ部には、宛先として、サービス宛のＥメールアドレス（ＨＰサービスサーバの特定Ｅメールアドレス）が挿入され、件名として、ユーザを識別するためのＩＤ、パスワードおよびＣＭＤ（サーバに対する命令）が挿入され、添付ファイルとして、Ｗｅｂページに掲載する画像ファイルが挿入される。ＨＰサービスサーバは、ヘッダ部からＷｅｂページ登録用のＥメールであるか判断し、さらに、ＩＤおよびパスワードから不正アクセスか否かを判断する認証を行なう。
【００２７】
本文は、第１行目にページ内のタイトル内容を記述するようになっており、Ｗｅｂページへ掲載されるページ内容（文章）が、タイトル／ページ内容区切りタグと内容／アイテム区切りタグとの間に記述するようになっている。さらに、本文の最後には、アイテム指示文字列１〜５が記述される。
【００２８】
上記サーバに対する命令であるＣＭＤとしては、例えば、図５に示すように、全面書き換え、タイトル内容のみ書き換え、ページ内容のみ書き換え、ページ内に貼り付ける画像のみ書き換え、アイテム（アクセス数など）のみ書き換えなどが用意されている。該ＣＭＤが含まれる件名は、何らかの暗号化アルゴリズムにより暗号化してもよい。図６は、暗号化の一例を示す概念図である。ＩＤが「ａｂｃｄｅｆ」、パスワードが「ＡＢＣＤＥＦ」であった場合、命令「０００００１」と組み合わせて、先頭から順番に１文字づつ交互に並べ、さらに、最後にこの文字列を逆順にして、Ｅメールの件名にセットする。このように、ユーザ自身による不正な命令送出を防止することが可能となる。また、暗号化することで、第三者から一見して何かわからなくなるため、ＩＤ、パスワードの盗難、改竄などの不正使用を防止することも可能となる。
【００２９】
Ｂ．実施形態の動作
次に、上述した実施形態による携帯電話の動作について説明する。ここで、図７は、本実施形態の携帯電話のメイン動作を説明するためのフローチャートである。
【００３０】
Ｂ−１．メイン処理
まず、図８（ａ）に示すように、各機能をアイコンで表し、各機能を選択するためのアイコンメニューを表示し（ステップＳ１０）、ＨＰ作成が選択されたか否かを判断する（ステップＳ１２）。ここで、ＨＰ作成以外のアイコンが選択された場合には、対応するアイコンの機能を実行する。一方、ＨＰ作成のアイコンが選択された場合には、メール本文へ自動的に付加される署名設定等の無効化を実行し（ステップＳ１４）、フラグＭｕｋｏｕを「Ｙｅｓ」とする（ステップＳ１６）。
【００３１】
次に、ＨＰ作成が初回であるか否かを判断し（ステップＳ１８）、初回である場合には、図８（ｂ）に示す簡単作成初期メニューを選択可能に表示する（ステップＳ２０）。簡単作成初期メニューでは、図示するように、「サービスについて」、「登録」、「サービス設定」、「オートパイロット」の項目が表示される。次に、どの項目が選択されたか否かを判断し（ステップＳ２２）、いずれかの項目が選択されると、選択された項目に応じた処理へ進む（ステップＳ２４）。
【００３２】
一方、初回でない場合には、図８（ｃ）に示す簡単ＨＰ作成メニューを選択可能に表示する（ステップＳ２６）。簡単ＨＰ作成メニューでは、図示するように、「簡単作成」、「拡張」、「マイページへジャンプ」、「サービスへジャンプ」、「サービス設定」、「オートパイロット」の項目が表示される。次に、どの項目が選択されたか否かを判断し（ステップＳ２８）、いずれかの項目が選択されると、選択された項目に応じた処理へ進む（ステップＳ３０）。
【００３３】
Ｂ−２．登録処理
次に、登録処理について説明する。ここで、図９は、登録処理を説明するためのフローチャートである。図８（ｂ）に示す簡単ＨＰ作成初期メニューにおいて、図１０（ａ）に示すように、項目「登録」が選択された場合には、まず、ＨＰサービスサーバ１１に接続する（ステップＳ４０）。このとき、携帯電話１０の表示部２９には、図１０（ｂ）に示すように、ＨＰサービスサーバ１１に接続中である旨が表示される。ＨＰサービスサーバ１１に接続すると、図１０（ｃ）に示す登録関連ページからＨＰ作成に伴う各種情報を登録する（ステップＳ４４）。登録後は、図１０（ｄ）に示す簡単ＨＰ作成初期メニューへ戻る。
【００３４】
Ｂ−３．新規作成処理
次に、新規作成処理について説明する。ここで、図１１および図１２は、新規作成処理を説明するためのフローチャートである。図８（ｃ）に示す簡単ＨＰ作成メニューにおいて、「簡単作成」が選択された場合には、図１３（ａ）に示す簡単作成メニューを表示する。簡単作成メニューでは、図示するように、「新規作成」、「全体編集」、「タイトルのみ編集」、「内容のみ編集」、「画像のみ編集」、「アイテムのみ編集」、「ページイメージサンプル」の項目が表示される。以下、主要な項目に関して詳細に説明する。まず、簡単作成メニューにおいて、項目「新規作成」が選択されると、図１３（ｂ）に示すタイトル入力画面を表示する。
【００３５】
タイトル入力画面では、Ｗｅｂページに掲載するタイトルを入力する（ステップＳ５０）。次に、登録が指示されたか否かを判断する（ステップＳ５２）。そして、タイトル入力画面でタイトルが入力された後、登録が指示されると、図１３（ｃ）に示すページ内容入力画面を表示する。
【００３６】
ページ内容入力画面では、Ｗｅｂページに掲載するページ内容を入力する（ステップＳ５４）。次に、登録が指示されたか否かを判断する（ステップＳ５６）。そして、ページ内容入力画面でページ内容が入力された後、登録が指示されると、図１３（ｄ）に示す画像種別選択画面を表示する。
【００３７】
画像種別選択画面では、Ｗｅｂページに掲載する画像の種別を選択する（ステップＳ５８）。画像種別としては、画像（単体）、アルバム、画像なしのうちから選択可能となっている。次に、画像種別が選択されたか否かを判断する（ステップＳ６０）。ここで、例えば、画像種別として、アルバムが選択されると、図１３（ｅ）に示す画像データ選択画面を表示する。
【００３８】
画像データ選択画面では、画像メモリ６３に記憶されている画像データのリストが表示される。該画像データ選択画面では、選択された画像データの再生（表示）が可能となっており、選択する前に再生してどのような画像であるかを確認することが可能である。画像データ選択画面では、まず、Ｗｅｂページに掲載する画像データを選択する（ステップＳ６２）。次に、画像データ選択画面において「再生」が指示されたか否かを判断し（ステップＳ６４）、「再生」が指示された場合には、選択された画像データを再生（表示）する（ステップＳ６６）。また、「再生」が指示されなかった場合、あるいは再生が終了した場合には、画像データ選択画面において「ＯＫ」が指示されたか否かを判断する（ステップＳ６８）。そして、「ＯＫ」が指示された場合には、選択された画像データが適切であるか判断する（ステップＳ７０）。なお、画像データが適切であるか否かを判断する処理については後述する。
【００３９】
そして、選択された画像データが適切であった場合には、ステップＳ６２に戻り、画像データを再度選択する。一方、選択された画像データが適切であった場合には、次に、図１３（ｅ）に示すアイテム選択画面を表示してアイテムを選択する（ステップＳ７２）。アイテム選択画面では、アイテム（カウンタ、作成日時、私書箱等）毎に、ＯＮ，ＯＦＦが設定可能となっている。次に、アイテム選択画面において「ＯＫ」が指示されたか否かを判断し（ステップＳ７４）、「ＯＫ」が指示された場合には、図１３（ｇ）に示すように、これまで入力・設定した内容を表示する（ステップＳ７６）。
【００４０】
前述した画像データが適切であるか否かの判断は、図１２に示すフローチャートに従って行なう。まず、選択された画像データが著作権ありであるか否かを判断し（ステップＳ８０）、著作権がある場合には、図１４（ｂ）に示すように、著作権ありエラーを表示する（ステップＳ８２）。また、著作権がない場合には、Ｅメールで送信可能なサイズであるかを判別するべく、サイズオーバーであるか否かを判断し（ステップＳ８４）、サイズオーバーである場合には、図１４（ｃ）に示すように、サイズオーバーエラーを表示する（ステップＳ８６）。また、サイズオーバーでない場合には、専用データであるか否かを判断し（ステップＳ８８）、専用データである場合には、図１４（ｄ）に示すように、専用データエラーを表示する（ステップＳ９０）。いずれかのエラーがあった場合には、ステップＳ６２に戻り、画像データを再度選択する。
【００４１】
Ｂ−４．送信処理
次に、メールの送信処理について説明する。ここで、図１５は、メールの送信処理の動作を説明するためのフローチャートである。図１３（ｇ）に示す更新内容確認画面において「更新」が指示されると、更新内容に従って送信メールを作成し、図１６（ｂ）に示すように、送信メールを表示する（ステップＳ１００）。次に、送信メール作成画面において「編集」が指示されたか否かを判断し（ステップＳ１０２）、「編集」が指示された場合には、後述する編集処理（図１９）へ進む。
【００４２】
一方、「編集」が指示されなかった場合には、「送信」が指示されたか否かを判断する（ステップＳ１０４）。そして、送信メール作成画面において「送信」が指示されると、該ＥメールをＨＰサービスサーバ１１へ送信する（ステップＳ１０６）。次に、フラグＭｕｋｏｕが「Ｙｅｓ」であるか判断し（ステップＳ１０８）、フラグＭｕｋｏｕが「Ｙｅｓ」である場合には、送信したメールを削除する（ステップＳ１１０）。次に、フラグＭｕｋｏｕが「Ｙｅｓ」でない場合、または送信したメールを削除した場合、送信が正常に完了したか判断し（ステップＳ１１２）、Ｅメールの送信が正常に完了した場合には、図１６（ｄ）に示すＥメール送信完了画面を表示し（ステップＳ１１４）、Ｅメールの送信が失敗した場合には、図１６（ｅ）に示すＥメール送信失敗画面を表示する（ステップＳ１１６）。そして、図１６（ｆ）に示すように、簡単ＨＰ作成メニューへ戻る。
【００４３】
Ｂ−５．更新処理
次に、メール送信後に受信した更新確認メールに従ってＷｅｂページを更新する更新処理について説明する。ここで、図１７は、更新処理の動作を説明するためのフローチャートである。上述した送信処理により、メールが送信された後、ＨＰサービスサーバ１１からは、図１８（ａ）に示す更新確認メールが送信されてくる。更新確認メールには、先のメール内容でＷｅｂページを更新するためのＵＲＬが記述されている。携帯電話１０では、更新確認メールを受信したか否かを判断し（ステップＳ１２０）、更新確認メールを受信すると、ブラウザ７１を起動し、更新確認メール内に記述されているＵＲＬにアクセスする（ステップＳ１２２）。
【００４４】
ＨＰサービスサーバ１１では、更新確認メールに記述されたＵＲＬへのアクセスがあるか否かを判断し（ステップＳ１３０）、ＵＲＬにアクセスがあると、更新確認ページを送信する（ステップＳ１３２）。
【００４５】
携帯電話１０では、ブラウザ７１により、図１８（ｂ）に示す更新確認ページを表示する（ステップＳ１２４）。更新確認Ｗｅｂページは、先に送信したメール内容に従って作成されるＷｅｂページである。携帯電話１０では、更新確認ページを確認し、ＯＫならば更新ボタンを押下する。
【００４６】
ＨＰサービスサーバ１１では、更新ボタンが押下されたか否かを判断し（ステップＳ１３４）、更新ボタンが押下されると、実際に先のメール内容でＷｅｂページを更新する（ステップＳ１３６）。
【００４７】
携帯電話１０では、Ｗｅｂページの更新中、図１８（ｃ）に示す更新中の画面が表示される。そして、Ｗｅｂページの更新が正常に完了した場合には、図１８（ｄ）に示す更新完了画面を表示する（ステップＳ１２６）。一方、Ｗｅｂページの更新が失敗した場合には、図１８（ｅ）に示す更新失敗画面を表示する。そして、Ｗｅｂページの更新が正常に完了した場合には、簡単ＨＰ作成メニューへ戻り、Ｗｅｂページの更新が失敗した場合には、図１１に示すステップＳ７６に戻り、更新内容確認画面を表示する。
【００４８】
Ｂ−６．簡単ＨＰ作成メニュー
次に、簡単ＨＰ作成メニューから選択可能な各種機能について説明する。図８（ｃ）に示す簡単ＨＰ作成メニューにおいて項目「簡単作成」が選択された場合には、図１９（ａ）に示す簡単作成メニューが表示される。該簡単作成メニューでは、前述したＷｅｂページの新規作成や、全体編集、タイトルのみ編集、内容のみ編集、画像のみ編集、アイテムのみ編集、ページイメージサンプルなどが選択可能となっている。全体編集では、既に作成したＷｅｂページ全体が編集可能となっている。タイトルのみ編集では、Ｗｅｂページのタイトルのみが編集可能となっている。内容のみ編集では、Ｗｅｂページの内容のみが編集可能となっている。画像のみ編集では、Ｗｅｂページに添付した画像のみが編集可能となっている。アイテムのみ編集では、Ｗｅｂページのアイテムのみが編集可能となっている。ページイメージサンプルでは、図１９（ｂ）に示すように、Ｗｅｂページの概要が表示可能となっている。
【００４９】
また、図８（ｃ）に示す簡単ＨＰ作成メニューにおいて項目「拡張」が選択された場合には、図２０（ａ）に示すＨＰ拡張ｘｘｘ画面を表示する。該ＨＰ拡張ｘｘｘ画面では、ＨＰサービスサーバ１１が提供するＷｅｂページの各種フォームを選択することができるようになっている。図示の例では、Ｗｅｂページに掲示板を設定したり、アルバム風にしたり、かわいい系にしたりなどが選択可能となっている。また、図８（ｃ）に示す簡単ＨＰ作成メニューにおいて項目「マイページへジャンプ」が選択された場合には、図２０（ｂ）に示すように、ユーザのＷｅｂページが掲載されているＵＲＬに従って現在のＷｅｂページを表示する。
【００５０】
また、図８（ｃ）に示す簡単ＨＰ作成メニューにおいて項目「サービスへジャンプ」が選択された場合には、ＨＰサービスサーバ１１が提供するＷｅｂページ作成機能に対して各種機能の登録や付加機能の追加・設定などを行なうために、図２０（ｃ）に示す画面を表示する。さらに、図８（ｃ）に示す簡単ＨＰ作成メニューにおいて項目「サービス設定」が選択された場合には、図２０（ｄ）に示すサービス設定メニュー画面を表示する。該サービス設定メニュー画面では、ＨＰサービスサーバ１１のサービスアドレスや、ＩＤ、パスワードおよびＷｅｂページのアドレスであるサービスＵＲＬなどが設定可能となっている。
【００５１】
上述した実施形態によれば、既存のＥメールのフォームを利用してＷｅｂページ作成のための命令を記述するようにしたので、携帯電話から、より豊富なバリエーションを有するＷｅｂページを作成することができる。また、Ｅメールの本文中に特定の記号列を記述し、制御用の区切り記号として利用するようにしたので、既存のＥメールのフォームだけでは指定不可能であるような複雑なＷｅｂページを作成することができる。
【００５２】
【発明の効果】
請求項１記載の発明によれば、前記携帯端末では、メール作成手段により、メールの件名の一部にＷｅｂページの編集箇所を指定するためのコマンドおよびメール本文にＷｅｂページに掲載される内容が記述され、Ｗｅｂページに掲載される画像データを添付したメールを作成し、送信手段により、前記メール作成手段により作成されたメールを前記サーバへ送信し、前記サーバでは、受信手段により、前記携帯端末からのメールを受信し、Ｗｅｂページ作成手段により、前記受信手段により受信されたメールに添付されている画像データとメール本文とが掲載されたＷｅｂページを作成し、編集手段により、前記受信手段により受信されたメールの件名に記述されているコマンドに基づいて、前記Ｗｅｂページ作成手段により作成されるＷｅｂページの編集を行なうようにしたので、携帯端末により、容易な操作で、かつ細かな編集を行なってＷｅｂページを作成（更新）することができるという利点が得られる。
【００５３】
また、請求項２記載の発明によれば、前記携帯端末では、前記メール作成手段により、メールの件名の一部にユーザ認証のための利用者ＩＤおよびパスワードを記述し、前記サーバでは、認証手段により、前記受信手段により受信されたメールの件名に記述されている利用者ＩＤおよびパスワードを用いてユーザ認証を行なうようにしたので、ユーザ操作することなく、サーバ側で個人認証を行なうことができ、不正なＷｅｂページの改竄を防止することができるという利点が得られる。
【００５４】
また、請求項３記載の発明によれば、前記メールの件名として記述されたコマンド、または、利用者ＩＤおよびパスワードを暗号化するようにしたので、第三者による利用者ＩＤ、パスワードの盗難等を防止することができるという利点が得られる。
【００５５】
また、請求項４記載の発明によれば、前記メール作成手段により、メール本文に記述可能な特定の文字を、Ｗｅｂページの作成に伴う付加機能を指示するための制御符号として記述し、前記Ｗｅｂページ作成手段により、メール本文に記述されている制御符号に基づいて、付加機能が付加されたＷｅｂページを作成するようにしたので、カウンタや掲示板などの付加機能を容易に利用することができるという利点が得られる。
【００５６】
また、請求項５記載の発明によれば、前記メール作成手段により、Ｗｅｂページ作成用のメールを作成する際、メール本文に自動的に付加される署名付加機能を無効とするようにしたので、入力文字数の制限を最大限に活かすことができ、Ｗｅｂページとして表示したいタイトルや内容を記述することができるという利点が得られる。
【００５７】
また、請求項６記載の発明によれば、前記携帯端末では、削除手段により、前記送信手段によりメールが送信された後、当該メールを削除するようにしたので、ユーザ自身による不正なメールの送信を防止することができるという利点が得られる。
【００５８】
また、請求項７記載の発明によれば、前記携帯端末により、メールの件名の一部にＷｅｂページの編集箇所を指定するためのコマンドが記述され、メール本文にＷｅｂページに掲載される内容が記述され、Ｗｅｂページに掲載される画像データを添付したメールを作成し、作成されたメールを前記サーバへ送信し、前記サーバにより、前記携帯端末からのメールを受信すると、メールに添付されている画像データとメール本文とが掲載されたＷｅｂページを作成し、メールの件名に記述されているコマンドに基づいて、前記Ｗｅｂページの編集を行なうようにしたので、携帯端末により、容易な操作で、かつ細かな編集を行なってＷｅｂページを作成（更新）することができるという利点が得られる。
【００５９】
また、請求項８記載の発明によれば、前記メールの件名の一部にユーザ認証のための利用者ＩＤおよびパスワードが記述可能であり、前記サーバにより、前記メールの件名に記述されている利用者ＩＤおよびパスワードを用いてユーザ認証を行なうようにしたので、ユーザ操作することなく、サーバ側で個人認証を行なうことができ、不正なＷｅｂページの改竄を防止することができるという利点が得られる。
【００６０】
また、請求項９記載の発明によれば、前記コマンド、または、利用者ＩＤおよびパスワードを暗号化するようにしたので、第三者による利用者ＩＤ、パスワードの盗難等を防止することができるという利点が得られる。
【００６１】
また、請求項１０記載の発明によれば、前記メール本文に記述可能な特定の文字を、Ｗｅｂページの作成に伴う付加機能を指示するための制御符号として記述可能とし、前記サーバにより、前記制御符号に基づいて、付加機能が付加されたＷｅｂページを作成するようにしたので、カウンタや掲示板などの付加機能を容易に利用することができるという利点が得られる。
【００６２】
また、請求項１１記載の発明によれば、前記メールを作成する際、メール本文に自動的に付加される署名付加機能を無効とするようにしたので、入力文字数の制限を最大限に活かすことができ、Ｗｅｂページとして表示したいタイトルや内容を記述することができるという利点が得られる。
【００６３】
また、請求項１２記載の発明によれば、前記メールが送信された後、当該メールを削除するようにしたので、ユーザ自身による不正なメールの送信を防止することができるという利点が得られる。
【図面の簡単な説明】
【図１】本発明の実施形態によるシステムの構成を示すブロック図である。
【図２】本実施形態による携帯電話１０の構成を示すブロック図である。
【図３】本実施形態において適用される携帯電話１０の外観図である。
【図４】Ｗｅｂページに登録するためのＥメールのフォーマット例を示す模式図である。
【図５】上記サーバに対する命令であるＣＭＤの例を示す概念図である。
【図６】暗号化の一例を示す概念図である。
【図７】本実施形態の携帯電話のメイン動作を説明するためのフローチャートである。
【図８】メイン処理における表示画面例を示す模式図である。
【図９】登録処理を説明するためのフローチャートである。
【図１０】登録処理における表示画面例を示す模式図である。
【図１１】新規作成処理を説明するためのフローチャートである。
【図１２】新規作成処理（画像判定処理）を説明するためのフローチャートである。
【図１３】新規作成処理における表示画面例を示す模式図である。
【図１４】新規作成処理（画像判定処理）における表示画面例を示す模式図である。
【図１５】更新処理（その１）の動作を説明するためのフローチャートである。
【図１６】更新処理（その１）における表示画面例を示す模式図である。
【図１７】更新処理（その２）の動作を説明するためのフローチャートである。
【図１８】更新処理（その２）における表示画面例を示す模式図である。
【図１９】簡単作成メニューにおける表示画面例を示す模式図である。
【図２０】簡単ＨＰ作成メニューから遷移した各種機能の表示画面例を示す模式図である。
【符号の説明】１０  携帯電話
１１  ＨＰサービスサーバ（受信手段、Ｗｅｂページ作成手段、編集手段、認証手段）
２０  送受信部（送信手段）
２１  通信制御部（送信手段）
２２  音声処理部
２３  スピーカ
２４  マイク
２５  制御部
２６  キー入力部
２７  ＲＯＭ
２８  ＲＡＭ
２９  表示部
６０  撮像レンズ
６１  撮像モジュール
６２  ＤＳＰ
６３  画像メモリ
７０  Ｅメール処理部（メール作成手段、削除手段）
７１  ブラウザ
【図１】
2004295525.tif 000003
【図２】
2004295525.tif 000004
【図３】
2004295525.tif 000005
【図４】
2004295525.tif 000006
【図５】
2004295525.tif 000007
【図６】
2004295525.tif 000008
【図７】
2004295525.tif 000009
【図８】
2004295525.tif 000010
【図９】
2004295525.tif 000011
【図１０】
2004295525.tif 000012
【図１１】
2004295525.tif 000013
【図１２】
2004295525.tif 000014
【図１３】
2004295525.tif 000015
【図１４】
2004295525.tif 000016
【図１５】
2004295525.tif 000017
【図１６】
2004295525.tif 000018
【図１７】
2004295525.tif 000019
【図１８】
2004295525.tif 000020
【図１９】
2004295525.tif 000021
【図２０】
2004295525.tif 000022